(57)【特許請求の範囲】
【請求項１】
折部を有する刷本を多数配置し、巻取ベルトで巻取ることにより構成された刷本巻体と、
刷本巻体から繰り出される巻取ベルトを回収するベルト回収部と、
刷本巻体から繰り出される刷本の列を搬送するための一対の搬送ベルトと、
一対の搬送ベルトの下流側に配置され、刷本を集積する集積部と、
一対の搬送ベルトに設けられ、刷本を一時的に貯留する刷本貯留部とを備え、
刷本貯留部は一対の搬送ベルトに掛け渡された一対の側方プーリと、この一対の側方プーリの間に配置され一対の搬送ベルトに掛け渡されるとともに、一対の側方プーリに対して移動可能な中間プーリとからなることを特徴とする刷本集積装置。
【発明の詳細な説明】
【０００１】
【発明の属する技術分野】
本発明は、輪転印刷機から連続的に排出される刷本を集積するための刷本集積装置に関する。
【０００２】
【従来の技術】
一般に輪転印刷機は、印刷済の刷本を刺身状の刷本列として排出している。このように排出された刷本列は、刺身状に並べられた後、巻取ベルトによって巻取られ、このようにして刷本列を巻取ってなる刷本巻体が作製される。
【０００３】
刷本巻体からは、その後刷本列と巻取ベルトが繰り出される。
【０００４】
【発明が解決しようとする課題】
上述のように刷本巻体から刷本列と巻取ベルトが繰り出されるが、刷本巻体から繰り出された刺身状の刷本列を構成する各刷本は、その後束状に集積される。この場合、集積部の刷本は、その後束状にまとめられる。この際、刷本巻体からの繰り出しを停止することなく、刷本の集積作業および束状にまとめる作業を行うことができれば、作業の効率化が図れて都合が良い。
【０００５】
本発明はこのような点を考慮してなされたものであり、刷本巻体から刷本列を連続的に繰り出しながら、刷本列を構成する刷本を束状に集積してまとめることができる刷本集積装置を提供することを目的とする。
【０００６】
【課題を解決するための手段】
本発明は、折部を有する刷本を多数配置し、巻取ベルトで巻取ることにより構成された刷本巻体と、刷本巻体から繰り出される巻取ベルトを回収するベルト回収部と、刷本巻体から繰り出される刷本の列を搬送するための一対の搬送ベルトと、一対の搬送ベルトの下流側に配置され、刷本を集積する集積部と、一対の搬送ベルトに設けられ、刷本を一時的に貯留する刷本貯留部とを備え、刷本貯留部は一対の搬送ベルトに掛け渡された一対の側方プーリと、この一対の側方プーリの間に配置され一対の搬送ベルトに掛け渡されるとともに、一対の側方プーリに対して移動可能な中間プーリとからなることを特徴とする刷本集積装置である。
【０００７】
本発明によれば、多数の刷本からなる刷本列を巻取ベルトで巻取って構成された刷本巻体から、巻取ベルトおよび刷本列が繰り出される。繰り出された巻取ベルトはベルト回収部で回収されるとともに、刷本列は一対の搬送ベルトによって挟持されて集積部まで搬送される。刷本貯留部において中間プーリを一対の側方プーリに対して移動させることにより、一対の側方プーリ間に掛け渡された一対の搬送ベルトの長さを増減させる。このことにより一対の側方プーリ間の一対の搬送ベルト内において刷本を貯留したり排出したりすることができる。
【０００８】
【発明の実施の形態】
以下、図面を参照して本発明の実施の形態について説明する。図１乃至図６は本発明による刷本集積装置の一実施の形態を示す図である。
【０００９】
図１に示すように、刷本集積装置１０はフレーム１０ａと、フレーム１０ａに装置された刷本巻体１１とを備えている。このうち刷本巻体１１は、図６に示すように折部２１ａを有する刷本２１を刺身状に多数配置してなる刷本列２０を、芯材１１ａ回りに巻取ベルト２２で巻取ることにより構成されている。
【００１０】
なお、刷本巻体１１の各刷本２１は、２つ折されて折部２１ａと開口部２１ｂとを形成しており、刷本２１は刷本巻体１１からの繰り出し時に折部２１ａが後方に開口部２１が前方にくるよう繰り出される。
【００１１】
また図１に示すように、刷本巻体１１の左側下方位置に、刷本巻体１１から繰り出される巻取ベルト２２を巻取り回収するためのベルト回収部１２が設けられている。
【００１２】
また、図１に示すように刷本巻体１１の下方位置には、刷本巻体１１から繰り出される刷本列２０を挟持して搬送するための一対の搬送ベルト１５、１６が配設されている。このうち搬送ベルト１５は刷本巻体１１に当接して、刷本列２０を刷本巻体１１から受け取るものである。また搬送ベルト１６は搬送ベルト１５の下側に配置され、搬送ベルト１５とともに刷本列２０を挟持して搬送するものである。
【００１３】
一対の搬送ベルト１５、１６は、反転プーリ１７に掛け渡された後、刷本貯留部１８まで刷本列２０を搬送するようになっている。また刷本貯留部１８の下流側には、刷本例２０を構成する各刷本２１を集積するための集積部２５が配設されている。この集積部２５は底面２５ａを有し、各刷本２１はその折部２１が集積部２５の底面２５ａに当接した状態で集積される。
【００１４】
次に刷本貯留部１８について説明する。図１に示すように刷本貯留部１８は一対の固定された固定プーリ（側方プーリともいう）１８ａ，１８ｂと、この一対の固定プーリ１８ａ，１８ｂの中間に配置された可動プーリ（中間プーリともいう）１８ｃとを有している。このうち可動プーリ１８ｃは上下方向に移動自在となっており、また可動プーリ１８ｃは、駆動手段３８によって上下方向へ駆動される。そして一対の搬送ベルト１５，１６は、一対の固定プーリ１８ａ，１８ｂおよび可動プーリ１８ｃの間に掛け渡されている。
【００１５】
このような構成からなる刷本貯留部１８において、集積部２５側からの要請により刷本列２０の搬送を停止する場合、固定プーリ１８ａの回転を停止させる。他方、刷本巻体１１は連続回転しているので、固定プーリ１８ｂを回転させたままの状態とし、駆動手段３８によって可動プーリ１８ｃを上昇させる。このようにして刷本貯留部１８の一対の固定プーリ１８ａ，１８ｂ間に掛け渡された一対の搬送ベルト１５，１６の長さを増加させて、一対の固定プーリ１８ａ，１８ｂ間の一対の搬送ベルト１５，１６内に、刷本列２０を所望に応じて貯留させることができる。ところで駆動プーリ１８ｃの上下移動にともなって、搬送ベルト１５，１６のたるみを吸収する必要がある。このような搬送ベルト１５，１６のたるみ吸収のため、搬送ベルト１５，１６は、各々テンションプーリ３１，３６とスプリング３２，３７とからなるテンショナ３０，３５に掛け渡されている。
【００１６】
また、図１に示すように搬送ベルト１５，１６の刷本巻体１１の下流側には、刷本列２０の各刷本２１の数を測定するカウンタ１３と、ジョガー１４とが順次配設されている。このうちジョガー１４は一対の側板（図示せず）を有し、刷本列２０の側面を揃えるものである。
【００１７】
次のこのような構成からなる本実施例の作用について説明する。まず図６に示すように予め２つ折された刷本２１を刺身状に多数配置してなる刷本列２０を、巻取ベルト２２で巻取ることにより刷本巻体１１が作製される。次にこの刷本巻体１１が、フレーム１０ａに装着されて回転駆動される。
【００１８】
刷本巻体１１の回転駆動によって、刷本巻体１１から巻取ベルト２２と刷本列２０が繰り出され、このうち巻取ベルト２２はベルト回収部１２に巻取回収される。他方、刷本巻体１１から繰り出される刷本列２０は、刷本巻体１１に当接する搬送ベルト１５によって搬送される。この場合、刷本列２０の各刷本２１はその折部２１ａが後方に、開口部２１ｂが前方にくるよう繰り出される（図４参照）。
【００１９】
次に搬送ベルト１５によって搬送される刷本列２０は、カウンタ１３を通過して刷本の数が測定され、その後反転プーリ１７において搬送ベルト１５，１６内で挟持されて反転する（図２参照）。
【００２０】
その後、刷本列２０は一対の搬送ベルト１５，１６によって搬送されて、貯留部１８に達する（図３参照）。その後刷本列２０は、刷本貯留部１８から集積部２５へ送られ、この集積部２５に集積される。この場合、刷本列２０の刷本２１は下方から集積部２５側へ、刷本２１の折部２１ａが下向きになるよう送られる（図１，図３および図５参照）。
【００２１】
集積部２５において、各刷本２１はその折部２１ａが底面２５ａに当接するよう配置される。また集積部２５の底面２５ａ上に配置された各刷本２１は、図５の左側へ順次送られ束状にまとめられる。このように集積部２５において、各刷本２１は開口部２１ｂに比べて比較的堅固な折部２１ａを底面２５ａに当接させて集積されるので、集積部２５において刷本２１の高さを容易に揃えることができる。
【００２２】
次に刷本貯留部１８の作用について図１および図３により述べる。集積部２５において刷本２１を束状にまとめる際、固定プーリ１８ａの回転は停止する。このため刷本列２０は集積部２５側へ送られない。
【００２３】
この間、刷本巻体１１は回転を続けているので、刷本巻体１１と固定プーリ１８ｂとの間の搬送ベルト１５，１６は駆動される。同時に駆動手段３８によって可動プーリ１８ｃが上昇して、固定プーリ１８ａ，１８ｂ間に掛け渡された搬送ベルト１５，１６の長さが増加して、一対の固定プーリ１８ａ，１８ｂ間の一対の搬送ベルト１５，１６内に刷本列２０が貯留される。この場合、可動プーリ１８ｃの上昇速度は、搬送ベルト１５，１６の搬送速度の１／２となっている。
【００２４】
その後集積部２５において、刷本２１を束状にする作業が終了すると、固定プーリ１８ａが再び回転する。これに伴って可動プーリ１８ｃが降下して、固定プーリ１８ａ，１８ｂ間に掛け渡された搬送ベルト１５，１６の長さが減少して、固定プーリ１８ａ，１８ｂ間の一対の搬送ベルト１５，１６内に貯留されていた刷本列２０が、集積部２５側へ搬出される。
【００２５】
なお、刷本貯留部１８の可動プーリ１８ｃが上下方向に移動する際、搬送ベルト１５，１６は各々のテンショナ３０，３５によりその長さが調整される。
【００２６】
このように本実施の形態によれば、刷本巻体１１から刷本列を容易に繰り出して、集積部２５に集積することができる。
【００２７】
なお、上記実施の形態において、刷本貯留部１８を構成する一対の固定プーリ１８ａ，１８ｂを固定するとともに中間に位置する可動プーリ１８ｃを可動させた例を示したが、これに限らず１つの固定プーリの両側に一対の可動プーリを設けることによって刷本貯留部１８を構成してもよい。
【００２８】
【発明の効果】
以上のように、本発明によれば、刷本貯留部において、中間プーリを一対の側方プーリに対して移動させることにより、一対の側方プーリ間に掛け渡された一対の搬送ベルトの長さを増減させることができる。このことにより一対の側方プーリ間の一対の搬送ベルト内において、刷本を貯留したり排出したりすることができる。このため、刷本巻体の繰り出しを停止することなく、集積部における刷本の集積作業および束状にまとめる作業を行うことができる。
【図面の簡単な説明】
【図１】本発明による刷本集積装置の一実施の形態を示す概略図。
【図２】刷本巻体から繰り出される刷本列を示す図。
【図３】刷本貯留部を示す拡大図。
【図４】刷本巻体から繰り出される刷本列の拡大図。
【図５】刷本を集積する集積部を示す拡大図。
【図６】刷本巻体を示す図。
【符号の説明】
１１  刷本巻体
１２  ベルト回収部
１３  カウンタ
１５，１６  搬送ベルト
１７  反転プーリ
１８  刷本貯留部
１８ａ，１８ｂ  固定プーリ
１８ｃ  可動プーリ
２０  刷本列
２１  刷本
２１ａ  折部
３０，３５  テンショナ
【図１】
0003595076.tif 000002
【図２】
0003595076.tif 000003
【図３】
0003595076.tif 000004
【図４】
0003595076.tif 000005
【図５】
0003595076.tif 000006
【図６】
0003595076.tif 000007